(57)【要約】【課題】移動可能な空中浮揚型の通信中継装置が同じエリアに増えてきた場合に発生しやすい通信中継装置のフィーダリンク間の干渉を検知する。【解決手段】複数の通信中継装置について、３次元空間モデルにおける通信中継装置の位置に対応するフィーダリンク受信点とゲートウェイ局の位置に対応するフィーダリンク送信点とフィーダリンク受信点及び記フィーダリンク送信点を互いに結ぶ線分とを結合した複数のフィーダリンクモデル要素を生成する。３次元空間モデルの互いに異なるフィーダリンクモデル要素の間における線分とフィーダリンク受信点との距離に基づいてフィーダリンク間の干渉の発生を判定する。【選択図】図４
2020161916.tif 000002
【特許請求の範囲】
【請求項１】
端末装置の無線通信を中継する中継通信局を含む移動可能な複数の空中滞在型の通信中継装置のフィーダリンク間の干渉を検知する干渉検知システムであって、
前記複数の通信中継装置それぞれと無線通信する複数のゲートウェイ局の位置情報を記憶する情報記憶部と、
前記複数の通信中継装置の現在位置の位置情報を取得する情報取得部と、
前記複数の通信中継装置の位置情報と前記複数のゲートウェイ局の位置情報とに基づいて、前記複数の通信中継装置について、３次元空間モデルにおける前記通信中継装置の位置に対応するフィーダリンク受信点と前記ゲートウェイ局の位置に対応するフィーダリンク送信点と前記フィーダリンク受信点及び前記フィーダリンク送信点を互いに結ぶ線分とを結合した複数のフィーダリンクモデル要素を生成する生成部と、
前記３次元空間モデル上で互いに異なる前記複数のフィーダリンクモデル要素の間における前記線分と前記フィーダリンク受信点との距離に基づいて前記フィーダリンク間の干渉の発生を判定する判定部と、
を備えることを特徴とする干渉検知システム。
【請求項２】
請求項１の干渉検知システムにおいて、
前記生成部は、前記フィーダリンク受信点を中心とした球体を更に結合して前記フィーダリンクモデル要素を生成し、
前記判定部は、前記３次元空間モデル上で互いに異なる前記複数のフィーダリンクモデル要素の間における前記線分と前記球体との接触に基づいて前記フィーダリンク間の干渉の発生を判定することを特徴とする干渉検知システム。
【請求項３】
請求項２の干渉検知システムにおいて、
前記生成部は、前記フィーダリンク間の干渉検知の要求感度に応じて、前記フィーダリンクモデル要素の球体の半径を変更することを特徴とする干渉検知システム。
【請求項４】
請求項１乃至３のいずれかの干渉検知システムにおいて、
前記線分は、前記ゲートウェイ局からのフィーダリンクの送信ビームに対応した形状を有することを特徴とする干渉検知システム。
【請求項５】
請求項１乃至４のいずれかの干渉検知システムにおいて、
前記フィーダリンク間の干渉発生の判定結果及び前記３次元空間モデルにおける前記複数のフィーダリンクモデル要素の少なくとも一方を出力する出力部を更に備えることを特徴とする干渉検知システム。
【請求項６】
請求項１乃至５のいずれかの干渉検知システムにおいて、
前記生成部は、前記通信中継装置の飛行予定情報、前記通信中継装置の飛行に影響する気象条件並びに前記通信中継装置の高度及び速度の少なくとも一つを含む飛行影響条件パラメータに基づいて、前記複数のフィーダリンクモデル要素の動きを予測して生成し、
前記判定部は、前記複数のフィーダリンクモデル要素の動きの予測結果に基づいて、前記フィーダリンク間の干渉の発生を予測することを特徴とする干渉検知システム。
【請求項７】
請求項６の干渉検知システムにおいて、
前記飛行影響条件パラメータと前記通信中継装置の飛行経路との関係を示す過去データに基づいて、前記複数のフィーダリンクモデル要素の動き又は前記フィーダリンク間の干渉発生を予測することを特徴とする干渉検知システム。
【請求項８】
端末装置の無線通信を中継する中継通信局を含む移動可能な複数の空中滞在型の通信中継装置のフィーダリンク間の干渉を検知する干渉検知方法であって、
前記複数の通信中継装置それぞれと無線通信する複数のゲートウェイ局の位置情報を記憶することと、
前記複数の通信中継装置の現在位置の位置情報を取得することと、
前記複数の通信中継装置の位置情報と前記複数のゲートウェイ局の位置情報とに基づいて、前記複数の通信中継装置について、３次元空間モデルにおける前記通信中継装置の位置に対応するフィーダリンク受信点と前記ゲートウェイ局の位置に対応するフィーダリンク送信点と前記フィーダリンク受信点及び前記フィーダリンク送信点を互いに結ぶ線分とを結合した複数のフィーダリンクモデル要素を生成することと、
前記３次元空間モデル上で互いに異なる前記複数のフィーダリンクモデル要素の間における前記線分と前記フィーダリンク受信点との距離に基づいて前記フィーダリンク間の干渉の発生を判定することと、
を含むことを特徴とする干渉検知方法。
【請求項９】
端末装置の無線通信を中継する中継通信局を含む移動可能な複数の空中滞在型の通信中継装置のフィーダリンク間の干渉を検知する干渉検知システムに設けられたコンピュータ又はプロセッサで実行されるプログラムであって、
前記複数の通信中継装置の位置情報と、前記複数の通信中継装置それぞれと無線通信する複数のゲートウェイ局の位置情報とに基づいて、前記複数の通信中継装置について、３次元空間モデルにおける前記通信中継装置の位置に対応するフィーダリンク受信点と前記ゲートウェイ局の位置に対応するフィーダリンク送信点と前記フィーダリンク受信点及び前記フィーダリンク送信点を互いに結ぶ線分とを結合した複数のフィーダリンクモデル要素を生成するためのプログラムコードと、
前記３次元空間モデル上で互いに異なる前記複数のフィーダリンクモデル要素の間における前記線分と前記フィーダリンク受信点との距離に基づいて前記フィーダリンク間の干渉の発生を判定するためのプログラムコードと、
を含むことを特徴とするプログラム。
【発明の詳細な説明】
【技術分野】
【０００１】
本発明は、３次元化ネットワークの構築に適したＨＡＰＳ等の空中浮揚型の無線中継装置のマルチフィーダリンク間の干渉の検知（事前予測を含む）に関するものである。
【背景技術】
【０００２】
従来、空中に浮揚して滞在可能な高高度プラットフォーム局（ＨＡＰＳ）（「高高度疑似衛星」ともいう。）等の通信中継装置が知られている（例えば、特許文献１参照）。この空中浮揚型の通信中継装置における通信回線は、その通信中継装置と移動通信網側のゲートウェイ（ＧＷ）局との間のフィーダリンクと、通信中継装置と端末装置との間のサービスリンクとで構成される。
【先行技術文献】
【特許文献】
【０００３】
【特許文献１】米国特許出願公開第２０１６／００４６３８７号明細書
【発明の概要】
【発明が解決しようとする課題】
【０００４】
移動可能な空中浮揚型の通信中継装置が同じエリアに増えてくると、複数の通信中継装置のフィーダリンク間で干渉が発生し、フィーダリンクの無線通信品質が低下したり、フィーダリンクがきれたりするおそれがある。
【課題を解決するための手段】
【０００５】
本発明の一態様に係る干渉検知システムは、端末装置の無線通信を中継する中継通信局を含む移動可能な複数の空中滞在型の通信中継装置のフィーダリンク間の干渉を検知する干渉検知システムである。前記干渉検知システムは、前記複数の通信中継装置それぞれと無線通信する複数のゲートウェイ局の位置情報を記憶する情報記憶部と、前記複数の通信中継装置の現在位置の位置情報を取得する情報取得部と、前記複数の通信中継装置の位置情報と前記複数のゲートウェイ局の位置情報とに基づいて、前記複数の通信中継装置について、３次元空間モデルにおける前記通信中継装置の位置に対応するフィーダリンク受信点と前記ゲートウェイ局の位置に対応するフィーダリンク送信点と前記フィーダリンク受信点及び前記フィーダリンク送信点を互いに結ぶ線分とを結合した複数のフィーダリンクモデル要素を生成する生成部と、前記３次元空間モデル上で互いに異なる前記複数のフィーダリンクモデル要素の間における前記線分と前記フィーダリンク受信点との距離に基づいて前記フィーダリンク間の干渉の発生を判定する判定部と、を備える。
【０００６】
前記干渉検知システムにおいて、前記生成部は、前記フィーダリンク受信点を中心とした球体を更に結合して前記フィーダリンクモデル要素を生成し、前記判定部は、前記３次元空間モデル上で互いに異なる前記複数のフィーダリンクモデル要素の間における前記線分と前記球体との接触に基づいて前記フィーダリンク間の干渉の発生を判定してもよい。
ここで、前記生成部は、前記フィーダリンク間の干渉検知の要求感度に応じて、前記フィーダリンクモデル要素の球体の半径を変更してもよい。
【０００７】
前記干渉検知システムにおいて、前記線分は、前記ゲートウェイ局からのフィーダリンクの送信ビームに対応した形状を有してもよい。
【０００８】
前記干渉検知システムにおいて、前記フィーダリンク間の干渉発生の判定結果及び前記３次元空間モデルにおける前記複数のフィーダリンクモデル要素の少なくとも一方を出力する出力部を更に備えてもよい。
【０００９】
前記干渉検知システムにおいて、前記生成部は、前記通信中継装置の飛行予定情報、前記通信中継装置の飛行に影響する気象条件及び前記通信中継装置の高度の少なくとも一つを含む飛行影響条件パラメータに基づいて、前記複数のフィーダリンクモデル要素の動きを予測して生成し、前記判定部は、前記複数のフィーダリンクモデル要素の動きの予測結果に基づいて、前記フィーダリンク間の干渉の発生を予測してもよい。
ここで、前記飛行影響条件パラメータと前記通信中継装置の飛行経路との関係を示す過去データに基づいて、前記複数のフィーダリンクモデル要素の動き又は前記フィーダリンク間の干渉発生を予測してもよい。
【００１０】
本発明の更に他の態様に係る干渉検知方法は、端末装置の無線通信を中継する中継通信局を含む移動可能な複数の空中滞在型の通信中継装置のフィーダリンク間の干渉を検知する干渉検知方法である。前記干渉検知方法は、前記複数の通信中継装置それぞれと無線通信する複数のゲートウェイ局の位置情報を記憶することと、前記複数の通信中継装置の現在位置の位置情報を取得することと、前記複数の通信中継装置の位置情報と前記複数のゲートウェイ局の位置情報とに基づいて、前記複数の通信中継装置について、３次元空間モデルにおける前記通信中継装置の位置に対応するフィーダリンク受信点と前記ゲートウェイ局の位置に対応するフィーダリンク送信点と前記フィーダリンク受信点及び前記フィーダリンク送信点を互いに結ぶ線分とを結合した複数のフィーダリンクモデル要素を生成することと、前記３次元空間モデル上で互いに異なる前記複数のフィーダリンクモデル要素の間における前記線分と前記フィーダリンク受信点との距離に基づいて前記フィーダリンク間の干渉の発生を判定することと、を含む。
【００１１】
本発明の更に他の態様に係るプログラムは、端末装置の無線通信を中継する中継通信局を含む移動可能な複数の空中滞在型の通信中継装置のフィーダリンク間の干渉を検知する干渉検知システムに設けられたコンピュータ又はプロセッサで実行されるプログラムである。前記プログラムは、前記複数の通信中継装置の位置情報と、前記複数の通信中継装置それぞれと無線通信する複数のゲートウェイ局の位置情報とに基づいて、前記複数の通信中継装置について、３次元空間モデルにおける前記通信中継装置の位置に対応するフィーダリンク受信点と前記ゲートウェイ局の位置に対応するフィーダリンク送信点と前記フィーダリンク受信点及び前記フィーダリンク送信点を互いに結ぶ線分とを結合した複数のフィーダリンクモデル要素を生成するためのプログラムコードと、前記３次元空間モデル上で互いに異なる前記複数のフィーダリンクモデル要素の間における前記線分と前記フィーダリンク受信点との距離に基づいて前記フィーダリンク間の干渉の発生を判定するためのプログラムコードと、を含む。
【００１２】
本発明によれば、移動可能な空中浮揚型の通信中継装置が増えてきた場合に発生しやすい複数の通信中継装置のフィーダリンク間の干渉を検知（予測検知を含む）することができる。
【図面の簡単な説明】
【００１３】
【図１】本発明の一実施形態に係る通信システムの一例を示す説明図。
【図２】実施形態に係るＨＡＰＳの中継通信局の主要構成の一例を示すブロック図。
【図３】実施形態に係る中央制御サーバの主要構成の一例を示す説明図。
【図４】実施形態に係る中央制御サーバによる干渉検知の一例を示すフローチャート。
【図５】（ａ）及び（ｂ）は、図４の干渉検知に用いる３次元空間モデルにおける複数のＨＡＰＳに対応する複数のフィーダリンクモデル要素の一例を示す説明図。
【図６】（ａ）〜（ｃ）は、図４の干渉検知に用いる３次元空間モデルにおける複数のＨＡＰＳに対応する複数のフィーダリンクモデル要素の他の例を示す説明図。
【図７】図６に例示するフィーダリンクモデル要素における球体の他の例を示す説明図。
【図８】図４の干渉検知に用いる３次元空間モデルにおける複数のＨＡＰＳに対応する複数のフィーダリンクモデル要素の更に他の例を示す説明図。
【図９】図４の干渉検知に用いる３次元空間モデルにおける複数のＨＡＰＳに対応する複数のフィーダリンクモデル要素の更に他の例を示す説明図。
【発明を実施するための形態】
【００１４】
以下、図面を参照して本発明の実施形態について説明する。
図１は、本発明の一実施形態に係る通信システムの一例を示す説明図である。本実施形態に係る通信システムは、多数の端末装置への同時接続や低遅延化などに対応する第５世代移動通信の３次元化ネットワークの実現に適する。
【００１５】
図１に示すように、通信システムは、複数の空中浮揚型の通信中継装置（無線中継装置）としての複数の高高度プラットフォーム局（ＨＡＰＳ）（「高高度疑似衛星」、「成層圏プラットフォーム」ともいう。）２０（１）〜２０（３）を備えている。ＨＡＰＳ２０（１）〜２０（３）は、所定高度の空域に位置して、所定高度のセル形成目標空域に３次元セル（３次元エリア）を形成する。ＨＡＰＳ２０（１）〜２０（３）は、自律制御又は外部から制御により地面又は海面から１００［ｋｍ］以下の高高度の空域（浮揚空域）に浮遊あるいは飛行して位置するように制御される浮揚体又は飛行体（例えば、飛行船、ソーラープレーン）に、中継通信局２１（１）〜２１（３）が搭載されたものである。
【００１６】
なお、図１の例では、ＨＡＰＳ２０（１）及び２０（２）が飛行船タイプのＨＡＰＳであり、ソーラープレーン型のＨＡＰＳ（フィーダリンクなどの図示は省略）であり、３つのＨＡＰＳ２０（１）〜２０（３）が飛行している例を示しているが、ＨＡＰＳの数は２又は４以上であってもよい。また、ＨＡＰＳの種類は、飛行船及びソーラープレーンとは異なるタイプであってもよい。また、以下の説明において、複数のＨＡＰＳ及びその中継通信局などを区別しない場合は、括弧付き数字を付けずにＨＡＰＳ２０、中継通信局２１などと表記する。
【００１７】
ＨＡＰＳ２０の位置する空域は、例えば、地上（又は海や湖などの水上）の高度が１１［ｋｍ］以上及び５０［ｋｍ］以下の成層圏の空域である。この空域は、気象条件が比較的安定している高度１５［ｋｍ］以上２５［ｋｍ］以下の空域であってもよく、特に高度がほぼ２０［ｋｍ］の空域であってもよい。
【００１８】
本実施形態の通信システムにおける１又は２以上のＨＡＰＳ２０で３次元セルを形成する目標の空域であるセル形成目標空域は、ＨＡＰＳ２０が位置する空域と従来のマクロセル基地局等の基地局（例えばＬＴＥのｅＮｏｄｅＢ）がカバーする地面近傍のセル形成領域との間に位置する、所定高度範囲（例えば、５０［ｍ］以上１０００［ｍ］以下の高度範囲）の空域である。
【００１９】
なお、本実施形態の３次元セルが形成されるセル形成目標空域は、海、川又は湖の上空であってもよい。また、ＨＡＰＳ２０で形成する３次元セルは、地上又は海上に位置する端末装置６１との間でも通信できるよう地面又は海面に達するように形成してもよい。
【００２０】
ＨＡＰＳ２０の中継通信局２１は、サービスリンク用アンテナ（以下「ＳＬアンテナ」という。）により、移動局である端末装置６１と無線通信するための複数のビームを地面に向けて形成する。端末装置６１は、遠隔操縦可能な小型のヘリコプター等の航空機であるドローンに組み込まれた通信端末モジュールでもよいし、飛行機の中でユーザが使用するユーザ装置であってもよい。
【００２１】
セル形成目標空域においてＨＡＰＳ２０が形成するサービスリンクのビームが通過する領域が３次元セルである。例えば、ＨＡＰＳ２０（１）及び２０（２）がそれぞれ形成するサービスリンクのビームが通過する領域が第１セル２００Ｃ（１）及び第２セル２００Ｃ（２）である。図１において、端末装置６１（１）は第１セル２００Ｃ（１）に在圏し、端末装置６１（２）は第２セル２００Ｃ（２）に在圏している。
【００２２】
ＨＡＰＳ２０の中継通信局２１は、地上（又は海上）側の基地局７５に接続された中継局（リピーター親機）としての複数のゲートウェイ局（「フィーダ局」ともいう。以下「ＧＷ局」という。）７０と無線通信するリピーター子機である。例えば、ＨＡＰＳ２０（１）の中継通信局２１（１）は、基地局７５（１）に接続されたＧＷ局７０（１）と無線通信するリピーター子機であり、ＨＡＰＳ２０（２）の中継通信局２１（２）は、基地局７５（２）に接続されたＧＷ局７０（２）と無線通信するリピーター子機である。中継通信局２１は、フィーダリンク用アンテナ（以下「ＦＬアンテナ」という。）により無線通信可能な地上又は海上に設置されたＧＷ局７０及び基地局７５を介して、移動通信網のコアネットワーク８０に接続されている。各ＨＡＰＳのＧＷ局７０は地上又は海上の互いに異なる地点に配置してもよいし、同一地点に配置してもよい。また、ＨＡＰＳ２０の中継通信局２１とＧＷ局７０との間のフィーダリンクの通信は、マイクロ波などの電波による無線通信で行ってもよいし、レーザ光などを用いた光通信で行ってもよい。
【００２３】
ＧＷ局７０は、空中で移動するＨＡＰＳ２０を追尾するように自局のアンテナ（以下「ＧＷアンテナ」という。）７１を制御してもよい。ＧＷアンテナ７１がＨＡＰＳ２０を追尾することにより、パラボラアンテナなどの高い指向性を有するＧＷアンテナ７１を用いた場合でも、ＨＡＰＳ２０の移動によるフィーダリンクの通信品質の低下を抑制できる。
【００２４】
ＧＷアンテナ７１の指向性ビームの制御方式としては、ジンバル方式、電気方式（３６０度のビームフォーミング制御方式）、電気方式（角度限定のビームフォーミング制御方式＋アンテナ切替）など、各種の方式を用いることができる。
【００２５】
基地局７５は、例えばＬＴＥのｅＮｏｄｅＢの場合、遠隔無線装置（ＲＲＨ（Remote Radio Head）。ＲＲＵ（Remote Radio Unit）ともいう。）７６及びベースバンド処理装置（ＢＢＵ（Base Band Unit））７７で構成されている。なお、ＲＲＨ７６とＢＢＵ７７とはそれぞれ、光ファイバー回線で接続し、互いに離して配置してもよい。また、複数のＢＢＵ７７（１），７７（２）は集約して一箇所に設けてもよい。
【００２６】
ＲＲＨ７６は、例えば、直交変復調部と送信部と受信部と電力増幅器（ＰＡ（Power Amplifier））とローノイズ受信機（ＬＮＡ（Low Noise Amplifier））とを備え、ＧＷ局７０に接続されている。直交変復調部は、ＢＢＵで処理されるＯＦＤＭ信号を直交変復調し、アナログ信号（ＲＦ信号）に変換する。送信部は、直交変復調部で生成されたＲＦ信号の周波数を電波として送出する周波数に変換する。受信部は、受信した電波の高周波信号の周波数を直交変復調部で処理する周波数に変換する。電力増幅器（ＰＡ）は、送信部で生成したＲＦ信号を電力増幅する。ローノイズ受信機（ＬＮＡ）は、受信した微弱電波を増幅して受信部に渡す。
【００２７】
ＢＢＵ７７は、例えば、基地局制御部と伝送路インターフェース部とタイミング制御部とベースバンド部とを備え、所定のインターフェース（例えば、Ｓ１インターフェース）を介して移動通信網のコアネットワーク８０に接続されている。基地局制御部は、基地局全体の制御および呼制御のプロトコルや制御監視を行う。伝送路インターフェース部は、コアネットワーク等との間のイーサネット（登録商標）などのパケット伝送路が接続され、所定のプロトコルを処理してＩＰパケットの授受を行う。タイミング制御部は、パケット伝送路を介して受信した信号又は人工衛星からのＧＮＳＳ（Global Navigation Satellite System）受信信号から抽出した基準クロックに基づいて基地局内部で使用する各種クロックを生成する。ベースバンド部は、伝送路インターフェース部を通して授受するＩＰパケットと無線信号であるＯＦＤＭ信号（ベースバンド信号）の変換（変復調）を行う。
【００２８】
ＨＡＰＳ２０はそれぞれ、内部に組み込まれたコンピュータ等で構成された制御部が制御プログラムを実行することにより、ＨＡＰＳ自体の浮揚移動（飛行）や中継通信局２１での処理を自律制御してもよい。例えば、ＨＡＰＳ２０はそれぞれ、ＨＡＰＳ自体の現在位置情報（例えばＧＰＳ位置情報）、予め記憶した位置制御情報（例えば、飛行スケジュール情報）、周辺に位置する他のＨＡＰＳの位置情報などを取得し、それらの情報に基づいて浮揚移動（飛行）や中継通信局２１での処理を自律制御してもよい。
【００２９】
また、ＨＡＰＳ２０それぞれの浮揚移動（飛行）や中継通信局２１での処理は、移動通信網のコアネットワーク８０に接続された通信センター等に設けられた遠隔制御装置としての中央制御サーバ８５によって制御できるようにしてもよい。中央制御サーバ８５は、例えば、プログラムを読み込んで実行可能なＰＣなどのコンピュータ装置やサーバ等で構成することができる。この場合、ＨＡＰＳ２０は、中央制御サーバ８５からの制御情報を受信したり中央制御サーバ８５等の所定の送信先に監視情報などの各種情報を送信したりするための後述の制御通信部（例えば、移動通信モジュール）を備える。制御通信部は、中央制御サーバ８５と間で通信できるように端末識別情報（例えば、ＩＰアドレス、電話番号など）が割り当てられるようにしてもよい。ＨＡＰＳ２０の制御通信部の識別には通信インターフェースのＭＡＣアドレスを用いてもよい。
【００３０】
ＨＡＰＳ２０と中央制御サーバ８５との間の制御情報及び監視情報の送受信は、例えば、移動通信網のコアネットワーク８０と基地局７５とＧＷ局７０とを経由するＬＴＥの通信回線を介して行うことができる。また、制御情報及び監視情報の送受信は、人工衛星を介した移動通信の衛星回線を用いて行ってもよいし、インターネット９０と人工衛星とを介した衛星回線を用いて行ってもよい。
【００３１】
ＨＡＰＳ２０から送信する監視情報は、ＨＡＰＳ自体又は周辺のＨＡＰＳの浮揚移動（飛行）や中継通信局２１での処理に関する情報、ＨＡＰＳ２０がＧＷ局７０との間のフィーダリンクの受信電力を測定した受信モニタ情報、及び、ＨＡＰＳ２０の状態に関する情報や各種センサなどで取得した観測データの情報の少なくとも一つを含んでもよい。また、監視情報は、ＨＡＰＳ２０の現在位置及び姿勢情報、飛行経路情報（飛行スケジュール情報、飛行ルート履歴情報）、対気速度、対地速度及び推進方向、ＨＡＰＳ２０の周辺の気流の風速及び風向、並びに、ＨＡＰＳ２０の周辺の気圧及び気温の少なくとも一つの情報を含んでもよい。制御情報は、ＨＡＰＳ２０の目標飛行ルート情報を含んでもよい。
【００３２】
ＨＡＰＳ２０及び中央制御サーバ８５は、フィーダリンクの無線伝搬路を含むエリアの天気予報の情報、ＧＷ局７０又は基地局７５の保守予定情報、ＨＡＰＳ２０で測定されたＧＷ局７０とのフィーダリンクの受信レベルモニタ情報、ＨＡＰＳ２０の飛行経路情報、ＨＡＰＳ２０の現在位置情報及び姿勢情報、並びにＧＷ局７０の位置情報を取得してもよい。これらの情報は、例えば、各情報を管理しているコアネットワーク（移動通信網）８０のサーバ又はインターネット９０のサーバから取得してもよい。また、中央制御サーバ８５は、ＧＷ局７０又は基地局７５の保守予定情報を、所定のインターフェース（例えば、ＬＴＥのＳ１インターフェース）により移動通信網のコアネットワーク８０を介してＧＷ局７０又は基地局７５から取得してもよいし、ＧＷ局７０又は基地局７５を管理する管理サーバから取得してもよい。
【００３３】
中継通信局２１と端末装置６１との無線通信の上りリンク及び下りリンクの複信方式は、特定の方式に限定されず、例えば、時分割複信（Ｔｉｍｅ  Ｄｉｖｉｓｉｏｎ  Ｄｕｐｌｅｘ：ＴＤＤ）方式でもよいし、周波数分割複信（Ｆｒｅｑｕｅｎｃｙ  Ｄｉｖｉｓｉｏｎ  Ｄｕｐｌｅｘ：ＦＤＤ）方式でもよい。また、中継通信局２１と端末装置６１との無線通信のアクセス方式は、特定の方式に限定されず、例えば、ＦＤＭＡ（Ｆｒｅｑｕｅｎｃｙ  Ｄｉｖｉｓｉｏｎ  Ｍｕｌｔｉｐｌｅ  Ａｃｃｅｓｓ）方式、ＴＤＭＡ（Ｔｉｍｅ  Ｄｉｖｉｓｉｏｎ  Ｍｕｌｔｉｐｌｅ  Ａｃｃｅｓｓ）方式、ＣＤＭＡ（Ｃｏｄｅ  Ｄｉｖｉｓｉｏｎ  Ｍｕｌｔｉｐｌｅ  Ａｃｃｅｓｓ）方式、又は、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）であってもよい。また、前記無線通信には、ダイバーシティ・コーディング、送信ビームフォーミング、空間分割多重化（ＳＤＭ：Ｓｐａｔｉａｌ  Ｄｉｖｉｓｉｏｎ  Ｍｕｌｔｉｐｌｅｘｉｎｇ）等の機能を有し、送受信両方で複数のアンテナを同時に利用することにより、単位周波数当たりの伝送容量を増やすことができるＭＩＭＯ（多入力多出力：Ｍｕｌｔｉ−Ｉｎｐｕｔ  ａｎｄ  Ｍｕｌｔｉ−Ｏｕｔｐｕｔ）技術を用いてもよい。また、前記ＭＩＭＯ技術は、１つの基地局が１つの端末装置と同一時刻・同一周波数で複数の信号を送信するＳＵ−ＭＩＭＯ（Ｓｉｎｇｌｅ−Ｕｓｅｒ  ＭＩＭＯ）技術でもよいし、１つの基地局が複数の異なる端末装置に同一時刻・同一周波数で信号を送信又は複数の異なる基地局が１つの端末装置に同一時刻・同一周波数で信号を送信するＭＵ−ＭＩＭＯ（Ｍｕｌｔｉ−Ｕｓｅｒ  ＭＩＭＯ）技術であってもよい。
【００３４】
なお、以下の実施形態では、端末装置６１と無線通信する中継通信局２１を有する通信中継装置が、無人飛行船タイプのＨＡＰＳ２０の場合について図示して説明するが、通信中継装置はソーラープレーンタイプのＨＡＰＳであってもよい。また、以下の実施形態は、ＨＡＰＳ以外の他の空中浮揚型の通信中継装置にも同様に適用できる。
【００３５】
また、ＨＡＰＳ２０とＧＷ局７０を介した基地局７５との間のリンクを「フィーダリンク（ＦＬ）」といい、ＨＡＰＳ１０と端末装置６１との間のリンクを「サービスリンク（ＳＬ）」という。特に、ＨＡＰＳ２０とＧＷ局７０との間の区間を「フィーダリンクの無線区間」という。また、ＧＷ局７０からＨＡＰＳ２０を経由して端末装置６１に向かう通信のダウンリンクを「フォワードリンク」といい、端末装置６１からＨＡＰＳ２０を経由してＧＷ局７０に向かう通信のアップリンクを「リバースリンク」ともいう。
【００３６】
図１において、ＨＡＰＳ２０は、例えば高度が約２０ｋｍの成層圏に位置し、一つのＧＷ局７０との間に一つのフィーダリンクを形成し、ＨＡＰＳ２０が一つのセル２００Ｃを形成し、そのセル２００Ｃのフットプリント２００Ｆからなるサービスエリアの直径は例えば１００〜２００ｋｍであるが、これらに限定されるものではない。例えば、ＨＡＰＳ２０で形成するセルの数は２以上であってもよい。また、ＨＡＰＳ２０は、複数のＧＷ局７０との間に複数のフィーダリンクを形成してもよい。
【００３７】
上記構成の本実施形態の通信システムにおいて、上空を移動可能なＨＡＰＳ２０が同じ共通エリアに増えてくると、各ＨＡＰＳ２０の飛行経路及び利用周波数によっては、複数のＨＡＰＳ２０のフィーダリンク間で干渉が発生するおそれがある。例えば、共通エリアを飛行する複数のＨＡＰＳ２０のある一つのＨＡＰＳのフィーダリンク受信部が他のＨＡＰＳ向けのフィーダリンクの信号も受信した場合、フィーダリンク間の干渉が発生するおそれがある。フィーダリンク間の干渉が発生すると、ＨＡＰＳ２０フィーダリンクの無線通信品質が低下したり、フィーダリンクがきれたりするおそれがある。
【００３８】
そこで、本実施形態の通信システムは、ＨＡＰＳ２０及びＧＷ局７０の位置情報に基づいてＨＡＰＳ２０のフィーダリンク間の干渉の発生を検知（その干渉の予測検知の場合を含む）する干渉検知システムを備えている。なお、本実施形態では、中央制御サーバ８５が干渉検知システムの機能を有している場合について説明するが、中央制御サーバ８５とは別に、単一又は複数のコンピュータ装置からなる干渉検知システムを設けてもよい。また、干渉検知システムの機能は、ＨＡＰＳ２０、ＧＷ局７０及び基地局７５のいずれかに組み込んでもよい。
【００３９】
図２は、実施形態に係るＨＡＰＳ２０の中継通信局２１の主要構成の一例を示す説明図である。図２において、中継通信局２１は、フィーダリンク通信部２２１とサービスリンク通信部２２２と周波数変換部２２３と各部を制御する制御部２２４と制御通信部２２６を備える。
【００４０】
フィーダリンク通信部２２１は、ＦＬアンテナ２１１を介してＧＷ局７０との間でフィーダリンク周波数ＦＦＬの無線信号を送受信する。サービスリンク通信部２２２は、ＳＬアンテナ１１５を介して端末装置６１との間でサービスリンク周波数ＦＳＬの無線信号を送受信する。
【００４１】
制御部２２４は、ＧＷ局７０を追尾するようにＦＬアンテナ２１５を制御してもよい。ＦＬアンテナ２１５がＧＷ局７０を追尾することにより、ＨＡＰＳ２０の移動によるフィーダリンクの通信品質の低下を抑制できる。ＦＬアンテナ２１５の指向性ビームの制御方式としては、ジンバル方式、電気方式（３６０度のビームフォーミング制御方式）、電気方式（角度限定のビームフォーミング制御方式＋アンテナ切替）など、各種の方式を用いることができる。
【００４２】
周波数変換部２２３は、フィーダリンク通信部２２１とサービスリンク通信部２２２との間でフィーダリンク周波数ＦＦＬ（図２中のＦ１）とサービスリンク周波数ＦＳＬ（図２中のＦ２）との周波数変換を行う。中継通信局２１で中継される無線信号は、例えば、ＬＴＥ又はＬＴＥ−Ａｄｖａｎｃｅｄの標準規格に準拠したＯＦＭＤＡ通信方式を用いて送受信してもよい。この場合は、無線信号の遅延が異なるマルチパスが発生しても良好な通信品質を維持できる。
【００４３】
制御部２２４は、予め組み込まれたプログラムを実行することにより各部を制御することができる。
【００４４】
制御通信部２２６は、例えば、ＬＴＥ又は次世代（例えば第５世代）の通信機能、衛星通信機能又はその両方の通信機能を有する移動通信モジュールで構成され、中央制御サーバ８５と間で通信できるように端末識別情報（例えば、ＩＰアドレス、電話番号など）が割り当てられる。制御通信部２２６の識別には通信インターフェースのＭＡＣアドレスを用いてもよい。
【００４５】
図３は、実施形態に係る中央制御サーバ８５の主要構成の一例を示す説明図である。図３において、中央制御サーバ８５は、情報記憶部８５１と情報取得部８５２と情報処理部８５３と出力部８５４とを備える。
【００４６】
情報記憶部８５１は、複数のＨＡＰＳ２０それぞれと無線通信する複数のＧＷ局７０の位置情報を記憶する。
【００４７】
情報取得部８５２は、複数のＨＡＰＳ２０の現在位置の位置情報を取得する。ＨＡＰＳ２０からの情報の取得は、例えば、移動通信網のコアネットワーク８０と基地局７５とＧＷ局７０とを経由するＬＴＥの通信回線を介して行うことができる。また、ＨＡＰＳ２０からの情報の取得は、人工衛星を介した移動通信の衛星回線を用いて行ってもよいし、インターネット９０と人工衛星とを介した衛星回線を用いて行ってもよい。また、ＨＡＰＳ２０の位置情報は、コアネットワーク（移動通信網）８０のサーバ又はインターネット９０のサーバから取得してもよい。
【００４８】
ＧＷ局７０の位置情報及びＨＡＰＳ２０の位置情報は、例えば、座標原点を地球重心に置いた３次元直交座標系（例えば、ＩＴＲＦ（国際地球基準座標系））における座標（ｘ，ｙ，ｚ）の情報である。位置情報は、所定の地球楕円体を基準とした地球座標系（「測地座標系」ともいう。）における経度、緯度、高さの情報であってもよいし、座標原点を地球重心に置いた極座標系における座標（ｒ，θ，φ）の情報であってもよい。これらの複数種類の座標系の座標は相互に変換することができる。
【００４９】
情報処理部８５３は、情報記憶部８５１に記憶されている情報と情報取得部８５２で取得された情報とに基づいて、複数のＨＡＰＳ２０のフィーダリンク間の干渉をリアルタイム検知（現在発生している干渉の検知）又は予測検知（発生が予測される干渉の検知）を行う。
【００５０】
情報処理部８５３は、例えば、ＦＬモデル要素生成部８５３１と、干渉判定部８５３２とを有する。ＦＬモデル要素生成部８５３１は、複数のＨＡＰＳ２０の位置情報と複数のＧＷ局７０の位置情報とに基づいて、３次元空間モデルにおける複数のＨＡＰＳ２０に対応する複数のフィーダリンクモデル要素ＭＥを計算して生成する。フィーダリンクモデル要素ＭＥは、３次元空間モデルにおけるＨＡＰＳ２０の位置に対応するフィーダリンク受信点Ｐ２１と、ＧＷ局７０の位置に対応するフィーダリンク送信点Ｐ７０と、フィーダリンク受信点Ｐ２１及びフィーダリンク送信点Ｐ７０を互いに結ぶ線分ＬＳとを結合したモデル要素である。
【００５１】
３次元空間モデルは、例えば、３次元直交座標系上で定義される空間モデルである。３次元空間モデルは、前述の地球座標系（測地座標系）又は極座標系で定義される空間モデルであってもよい。
【００５２】
干渉判定部８５３２は、３次元空間モデル上で互いに異なる複数のフィーダリンクモデル要素（ＭＥ）の間における線分ＬＳとフィーダリンク受信点Ｐ２１との距離Ｄに基づいて、フィーダリンクＦＬ間の干渉の発生を判定する。例えば、上記距離Ｄが所定の距離（例えば１００ｍ）以下になったときに、フィーダリンクＦＬ間の干渉が発生している又は発生するおそれがあると判定する。
【００５３】
出力部８５４は、干渉判定部８５３２での判定結果を表示部（例えば液晶ディスプレイ）などに出力する。出力部８５４は、上記複数のフィーダリンクモデル要素（ＭＥ）を有する３次元空間モデル及び干渉の発生状況などを表示部（例えば液晶ディスプレイ）などに出力して可視化したり、予め設定したオペレータの端末装置に送信して通知したりしてもよい。
【００５４】
図４は、実施形態に係る中央制御サーバ８５による干渉検知の一例を示すフローチャートである。図５（ａ）及び（ｂ）は、図４の干渉検知に用いる３次元空間モデルにおける複数のＨＡＰＳ２０（１）及び２０（２）に対応する複数のフィーダリンクモデル要素ＭＥ（１）及びＭＥ（２）の一例を示す説明図である。なお、図４及び図５は、ＨＡＰＳ及びフィーダリンクモデル要素の数が２の場合の例であるが、ＨＡＰＳ及びフィーダリンクモデル要素の数は３以上であってもよい。
【００５５】
図４において、中央制御サーバ８５は、ＧＷ局７０（１）及び７０（２）それぞれの位置情報を予め取得して記憶している。中央制御サーバ８５は、所定のタイミングで定期的に又は非定期に、ＨＡＰＳ２０（１）及び２０（２）それぞれの現在位置の位置情報を取得して記憶する（Ｓ１０１）。
【００５６】
次に、中央制御サーバ８５は、ＧＷ局７０（１）及び７０（２）の位置情報と、ＨＡＰＳ２０（１）及び２０（２）の位置情報とに基づいて、例えば図５（ａ）及び（ｂ）に示すように、３次元空間モデルにおける複数のＨＡＰＳ２０（１）及び２０（２）に対応する複数のフィーダリンクモデル要素ＭＥ（１）及びＭＥ（２）を生成する（Ｓ１０２）。複数のフィーダリンクモデル要素ＭＥ（１），ＭＥ（２）はそれぞれ、ＨＡＰＳ２０（１），２０（２）の位置に対応するフィーダリンク受信点Ｐ２１（１），Ｐ２１（２）と、ＧＷ局７０（１），７０（２）の位置に対応するフィーダリンク送信点Ｐ７０（１），Ｐ７０（２）と、フィーダリンク受信点及びフィーダリンク送信点を互いに結ぶ線分ＬＳ（１），ＬＳ（２）とを結合したモデルエレメントである。
【００５７】
次に、中央制御サーバ８５は、３次元空間モデル上で互いに異なる複数のフィーダリンクモデル要素ＭＥ（１），ＭＥ（２）の間における線分ＬＳ（１），ＬＳ（２）とフィーダリンク受信点Ｐ２１（１），Ｐ２１（２）との距離に基づいてフィーダリンク間の干渉の発生を判定する（Ｓ１０３）。
【００５８】
例えば、図５（ａ）の例では、フィーダリンクモデル要素ＭＥ（１），ＭＥ（２）の線分ＬＳ（１），ＬＳ（２）は互いに交差しているが、ＨＡＰＳ２０（１）に対応する線分ＬＳ（１）はＨＡＰＳ２０（２）に対応するフィーダリンク受信点Ｐ２１（２）に接触せず、ＨＡＰＳ２０（２）に対応する線分ＬＳ（２）はＨＡＰＳ２０（１）に対応するフィーダリンク受信点Ｐ２１（１）に接触していないので、フィーダリンク間の干渉は発生していないと判定する。
【００５９】
一方、図５（ｂ）の例では、ＨＡＰＳ２０（１）に対応する線分ＬＳ（１）がＨＡＰＳ２０（２）に対応するフィーダリンク受信点Ｐ２１（２）に接触しているので、フィーダリンク間の干渉が発生していると判定する。
【００６０】
次に、中央制御サーバ８５は、上記フィーダリンク間の干渉の発生の判定結果を出力する（Ｓ１０４）。例えば、上記複数のフィーダリンクモデル要素ＭＥ（１），ＭＥ（２）を有する３次元空間モデル及び干渉の発生の判定結果状況などを表示部（例えば液晶ディスプレイ）などに出力して可視化したり、予め設定したオペレータの端末装置に送信して通知したりする。
【００６１】
図６（ａ）〜（ｃ）は、図４の干渉検知に用いる３次元空間モデルにおける複数のＨＡＰＳ２０（１）及び２０（２）に対応する複数のフィーダリンクモデル要素ＭＥ（１）及びＭＥ（２）の他の例を示す説明図である。図示の例では、３次元空間モデルにおけるフィーダリンクモデル要素ＭＥ（１），ＭＥ（２）を、フィーダリンク受信点Ｐ２１（１），Ｐ２１（２）、フィーダリンク送信点Ｐ７０（１），Ｐ７０（２）及び線分ＬＳ（１），ＬＳ（２）に、フィーダリンク受信点Ｐ２１（１），Ｐ２１（２）を中心とした球体Ｓ２１（１），Ｓ２１（２）を更に結合して生成している。
【００６２】
例えば、図６（ａ）の例では、フィーダリンクモデル要素ＭＥ（１），ＭＥ（２）の線分ＬＳ（１），ＬＳ（２）は互いに交差しているが、ＨＡＰＳ２０（１）に対応する線分ＬＳ（１）及び球体Ｓ２１（１）はＨＡＰＳ２０（２）に対応する球体Ｓ２１（２）に接触せず、ＨＡＰＳ２０（２）に対応する線分ＬＳ（２）及び球体Ｓ２１（２）はＨＡＰＳ２０（１）に対応する球体Ｓ２１（１）に接触していないので、フィーダリンク間の干渉は発生していないと判定する。
【００６３】
図６（ｂ）の例では、ＨＡＰＳ２０（１）に対応する球体Ｓ２１（１）がＨＡＰＳ２０（２）に対応する球体Ｓ２１（２）に接触しているので、フィーダリンク間の干渉が発生していると判定する。また、図６（ｃ）の例では、ＨＡＰＳ２０（２）に対応する線分ＬＳ（２）がＨＡＰＳ２０（１）に対応する球体Ｓ２１（１）に接触しているので、フィーダリンク間の干渉が発生していると判定する。
【００６４】
図６（ａ）〜（ｃ）に例示する球体Ｓ２１（１），Ｓ２１（２）を有するフィーダリンクモデル要素ＭＥ（１）及びＭＥ（２）を用いることにより、フィーダリンク間の干渉を早期に検知することができる。
【００６５】
図７は、図６（ａ）〜（ｃ）に例示するフィーダリンクモデル要素における球体の他の例を示す説明図である。図７の例では、球体Ｓ２１（１），Ｓ２１（１）’及びＳ２１（１）’’に示すように、フィーダリンク間の干渉検知の要求感度に応じて、フィーダリンクモデル要素ＭＥ（１）の球体Ｓ２１（１）の半径を変更している。例えば、フィーダリンク間の干渉検知の要求感度が標準的な感度の場合は、図中の標準的な半径（例えば１００ｍ）の球体Ｓ２１（１）を有するフィーダリンクモデル要素ＭＥ（１）を生成し、より高い感度でフィーダリンク間の干渉を検知する場合は、標準的な球体Ｓ２１（１）よりも大きな半径（例えば５００ｍ）の球体Ｓ２１（１）’を有するフィーダリンクモデル要素ＭＥ（１）を生成する。一方、フィーダリンク間の干渉検知の感度を低くする場合は、標準的な球体Ｓ２１（１）よりも小さな半径（例えば５０ｍ）の球体Ｓ２１（１）’’を有するフィーダリンクモデル要素ＭＥ（１）又は球体を結合していないフィーダリンクモデル要素ＭＥ（１）を生成する。
【００６６】
図８及び図９はそれぞれ、図４の干渉検知に用いる３次元空間モデルにおける複数のＨＡＰＳ２０（１）及び２０（２）に対応する複数のフィーダリンクモデル要素ＭＥ（１），ＭＥ（２）の更に他の例を示す説明図である。フィーダリンクモデル要素ＭＥ（１），ＭＥ（２）の線分ＬＳ（１），ＬＳ（２）がそれぞれ、ＧＷ局７０（１），７０（２）からのフィーダリンクＦＬ（１）、ＦＬ（２）の送信ビームに対応した形状を有することにより、フィーダリンク間の干渉発生の判定制度を高めることができる。
【００６７】
例えば図８に示すように、フィーダリンクモデル要素ＭＥ（１），ＭＥ（２）の線分ＬＳ（１），ＬＳ（２）は、所定半径の円柱形状を有し、その中心軸の両端がそれぞれフィーダリンク受信点Ｐ２１（１），Ｐ２１（２）及びフィーダリンク送信点Ｐ７０（１），Ｐ７２０（２）に位置するものであってもよい。図８の例では、ＨＡＰＳ２０（２）に対応する円柱形状の線分ＬＳ（２）の外周面がＨＡＰＳ２０（１）に対応する球体Ｓ２１（１）に接触しているので、フィーダリンク間の干渉が発生していると判定される。
【００６８】
また、図９に示すように、フィーダリンクモデル要素ＭＥ（１），ＭＥ（２）の線分ＬＳ（１），ＬＳ（２）は、円錐形状（テーパー形状）を有し、その頂点がフィーダリンク送信点Ｐ７０（１），Ｐ７０（２）に位置し、その底面がフィーダリンク受信点Ｐ２１（１），Ｐ２１（２）に位置するものであってもよい。図９の例では、ＨＡＰＳ２０（２）に対応する円錐形状（テーパー形状）の線分ＬＳ（２）の外周斜面がＨＡＰＳ２０（１）に対応する球体Ｓ２１（１）に接触しているので、フィーダリンク間の干渉が発生していると判定される。
【００６９】
なお、本実施形態において、中央制御サーバ８５の情報処理部８５３におけるＦＬモデル要素生成部８５３１は、各ＨＡＰＳ２０の飛行予定情報（飛行スケジュール情報、フライトプラン）、各ＨＡＰＳ２０の飛行に影響する気象条件並びに各ＨＡＰＳ２０の高度及び速度の少なくとも一つを含む飛行影響条件パラメータに基づいて、上記３次元空間モデルにおける複数のフィーダリンクモデル要素ＭＥの動きを予測して生成してもよい。そして、干渉判定部８５３２は、複数のフィーダリンクモデル要素ＭＥの動きの予測結果に基づいて、フィーダリンクＦＬ間の干渉の発生を予測してもよい（干渉予測検知）。
【００７０】
また、本実施形態において、中央制御サーバ８５の情報処理部８５３におけるＦＬモデル要素生成部８５３１は、前記飛行影響条件パラメータとＨＡＰＳ２０の飛行経路（飛行スケジュール情報、フライトプラン等の飛行予定情報及び実際に飛行した飛行ルート情報）との関係を示す過去データに基づいて、複数のＨＡＰＳのフィーダリンクモデル要素ＭＥの動きを予測して生成してもよい。例えば、飛行影響条件パラメータ（例えば、気象条件、各ＨＡＰＳ２０の高度及び速度など）とＨＡＰＳ２０の飛行経路（目標飛行ルート情報及び実際に飛行した飛行ルート情報）との関係を示す多数の過去データを機械学習する。そして、機械学習で得られた学習済みモデルと、ＨＡＰＳ２０の現在位置の情報と、現在の飛行影響条件パラメータと、ＨＡＰＳ２０の飛行予定情報（飛行スケジュール情報、フライトプラン等）とに基づいて、複数のＨＡＰＳのフィーダリンクモデル要素ＭＥの動きを予測して生成したり、上記フィーダリンク間の干渉発生の判定を行ったりしてもよい。機械学習のアルゴリズムとしては、例えば、教師あり学習、教師なし学習又は強化学習のアルゴリズムを用いることができる。また、機械学習のアルゴリズムは、サポートベクタマシン、ランダムフォレスト等の決定木、ニューラルネットワーク、深層学習などのアルゴリズムであってもよい。
【００７１】
以上、本実施形態によれば、上空で移動するＨＡＰＳ２０が増えてきた場合に発生しやすい複数のＨＡＰＳ２０のフィーダリンクＦＬ間の干渉を検知することができる。
【００７２】
なお、本明細書で説明された処理工程並びにＨＡＰＳ等の通信中継装置の中継通信局、フィーダ局、ゲートウェイ局、管理装置、監視装置、遠隔制御装置、サーバ、端末装置（ユーザ装置、移動局、通信端末）、基地局、基地局装置、ＲＲＨ及びＢＢＵの構成要素は、様々な手段によって実装することができる。例えば、これらの工程及び構成要素は、ハードウェア、ファームウェア、ソフトウェア、又は、それらの組み合わせで実装されてもよい。
【００７３】
ハードウェア実装については、実体（例えば、無線中継局、フィーダ局、ゲートウェイ局、基地局、基地局装置、無線中継局装置、端末装置（ユーザ装置、移動局、通信端末）、管理装置、監視装置、遠隔制御装置、サーバ、ハードディスクドライブ装置、又は、光ディスクドライブ装置）において前記工程及び構成要素を実現するために用いられる処理ユニット等の手段は、１つ又は複数の、特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明された機能を実行するようにデザインされた他の電子ユニット、コンピュータ、又は、それらの組み合わせの中に実装されてもよい。
【００７４】
また、ファームウェア及び／又はソフトウェア実装については、前記構成要素を実現するために用いられる処理ユニット等の手段は、本明細書で説明された機能を実行するプログラム（例えば、プロシージャ、関数、モジュール、インストラクション、などのコード）で実装されてもよい。一般に、ファームウェア及び／又はソフトウェアのコードを明確に具体化する任意のコンピュータ／プロセッサ読み取り可能な媒体が、本明細書で説明された前記工程及び構成要素を実現するために用いられる処理ユニット等の手段の実装に利用されてもよい。例えば、ファームウェア及び／又はソフトウェアコードは、例えば制御装置において、メモリに記憶され、コンピュータやプロセッサにより実行されてもよい。そのメモリは、コンピュータやプロセッサの内部に実装されてもよいし、又は、プロセッサの外部に実装されてもよい。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、デジタルバーサタイルディスク（ＤＶＤ）、磁気又は光データ記憶装置、などのような、コンピュータやプロセッサで読み取り可能な媒体に記憶されてもよい。そのコードは、１又は複数のコンピュータやプロセッサにより実行されてもよく、また、コンピュータやプロセッサに、本明細書で説明された機能性のある態様を実行させてもよい。
【００７５】
また、前記媒体は非一時的な記録媒体であってもよい。また、前記プログラムのコードは、コンピュータ、プロセッサ、又は他のデバイス若しくは装置機械で読み込んで実行可能であれよく、その形式は特定の形式に限定されない。例えば、前記プログラムのコードは、ソースコード、オブジェクトコード及びバイナリコードのいずれでもよく、また、それらのコードの２以上が混在したものであってもよい。
【００７６】
また、本明細書で開示された実施形態の説明は、当業者が本開示を製造又は使用するのを可能にするために提供される。本開示に対するさまざまな修正は当業者には容易に明白になり、本明細書で定義される一般的原理は、本開示の趣旨又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。
【符号の説明】
【００７７】
２０  ＨＡＰＳ（通信中継装置）
２１  中継通信局
６１，６１（１），６１（２）  端末装置
７０，７０（１），７０（２）  ゲートウェイ局（ＧＷ局）
７１，７１（１），７１（２）  フィーダリンク用アンテナ（ＧＷアンテナ）
７５，７５（１），７５（２）  基地局
７６，７６（１），７６（２）  遠隔無線装置（ＲＲＨ）
７７，７７（１），７７（２）  ベースバンド処理装置（ＢＢＵ）
８５  中央制御サーバ
２００Ｃ，２００Ｃ（１），２００Ｃ（２）  ３次元セル
２００Ｆ，２００Ｆ（１），２００Ｆ（２）  フットプリント
２１１  フィーダリンク用アンテナ（ＦＬアンテナ）
２１５  サービスリンク用アンテナ（ＳＬアンテナ）
２２１  フィーダリンク通信部
２２２  サービスリンク通信部
２２３  周波数変換部
２２４  制御部
２２６  制御通信部
８５１  情報記憶部
８５２  情報取得部
８５３  情報処理部
８５３１  フィーダリンク（ＦＬ）モデル要素生成部
８５３２  干渉判定部
８５４  出力部
【図１】
2020161916.tif 000003
【図２】
2020161916.tif 000004
【図３】
2020161916.tif 000005
【図４】
2020161916.tif 000006
【図５】
2020161916.tif 000007
【図６】
2020161916.tif 000008
【図７】
2020161916.tif 000009
【図８】
2020161916.tif 000010
【図９】
2020161916.tif 000011